(57)【要約】【課題】除湿を行うために必要な消費電力を抑えることができる空気調和機の制御方法を提供する。【解決手段】空気調和機は、室内相対湿度センサ１６と、ラジアルファン組立体４３と、制御部７１とを備える。室内相対湿度センサ１６は、室内空気の相対湿度を検知する。ラジアルファン組立体４３は、室内の換気を行う。制御部７１は、室内相対湿度センサ１６が検知する室内の相対湿度が所定レベルより高い場合に、ラジアルファン組立体４３による換気運転を行う。【選択図】        図５
2004225945.tif 000002
【特許請求の範囲】
【請求項１】
室内空気の湿度を検知する室内湿度検知手段（１６）と、
室内の換気を行う換気部（４３）と、
前記室内湿度検知手段（１６）が検知する室内の湿度が所定レベルより高い場合に、前記換気部（４３）による換気運転を行う制御部（７１）と、を備える空気調和機。
【請求項２】
前記換気部（４３）は、室外空気を室内へと給気することにより室内の換気を行う、請求項１に記載の空気調和機。
【請求項３】
室外機（３）と室内機（２）とに分かれる空気調和機であって、
前記室外機（３）に設けられ、前記室外機（３）内へと取り込まれる室外空気が通る給気口（４０ｃ）と、
前記室内機（２）に設けられ、前記室内機（２）内から室内へと吹き出す室外空気が通る吹出し口（１４１）と、
前記給気口（４０ｃ）と前記吹出し口（１４１）とを繋ぐ空気経路（６）と、をさらに備える、請求項２に記載の空気調和機。
【請求項４】
室内空気の絶対湿度を取得する室内絶対湿度取得部（７２）と、
室外空気の絶対湿度を取得する室外絶対湿度取得部（７３）と、
をさらに備え、
前記制御部（７１）は、前記室内絶対湿度取得部（７２）が取得した室内空気の絶対湿度と前記室外絶対湿度取得部（７３）が取得した室外空気の絶対湿度とを比較し、室外空気の絶対湿度が、誤差を考慮した所定値と室内空気の絶対湿度との和よりも小さい場合に、前記換気運転を行う、請求項１から３のいずれかに記載の空気調和機。
【請求項５】
室外温度を検知する室外温度検知手段（３３）と、
室外空気の相対湿度を検知する室外相対湿度検知手段（３４）と、
をさらに備え、
前記室外絶対湿度取得部（７３）は、前記室外相対湿度検知手段（３４）が検知する室外空気の相対湿度と、前記室外温度検知手段（３３）が検知する室外温度とから室外空気の絶対湿度を算出する、
請求項４に記載の空気調和機。
【請求項６】
室内温度を検知する室内温度検知手段（１５）と、
室外温度を検知する室外温度検知手段（３３）と、
をさらに備え、
前記制御部（７１）は、前記室内湿度検知手段（１６）が検知する室内の湿度が所定レベルより高い場合であり、且つ、室外温度が、誤差を考慮した所定値と室内温度との和より低い場合に、前記換気運転を行う、
請求項４に記載の空気調和機。
【請求項７】
前記室外絶対湿度取得部（７３）は、室外空気の仮想相対湿度と、前記室外温度検知手段（３３）が検知する室外温度とから室外空気の絶対湿度を算出する、請求項６に記載の空気調和機。
【請求項８】
前記制御部（７１）は、前記換気運転と暖房運転とを連動して行う、
請求項６または７に記載の空気調和機。
【請求項９】
室内空気との間で熱交換を行う室内熱交換器（１１）をさらに備え、
除湿運転指令があった場合において、室外空気の絶対湿度が、誤差を考慮した所定値と室内空気の絶対湿度との和よりも小さい場合には、前記換気運転による除湿を行い、その他の場合には、前記室内熱交換器（１１）を利用した除湿を行う、
請求項４に記載の空気調和機。
【請求項１０】
前記制御部（７１）は、室外空気の絶対湿度と室内空気の絶対湿度とに応じて前記換気部（４３）によって給気される空気の量を調整する、
請求項４から９のいずれかに記載の空気調和機。
【請求項１１】
前記制御部（７１）は、前記換気部（４３）の風量を調整することができる、請求項４から１０のいずれかに記載の空気調和機。
【請求項１２】
前記換気部（４３）によって給気され室内へと吹き出す空気の吹出し角度を調整する吹出し角度調整手段（１４２）をさらに備え、
前記制御部（７１）は、前記換気運転時には室内の壁面に沿って空気が吹き出すように前記吹出し角度調整手段（１４２）を制御する、
請求項２から１１のいずれかに記載の空気調和機。
【請求項１３】
室内へと送られる空気を加湿する加湿部（４１）をさらに備え、
前記制御部（７１）は、前記室内湿度検知手段（１６）が検知した室内の湿度が所定レベルより低い場合に、前記加湿部（４１）による加湿運転を行う、
請求項１から１２のいずれかに記載の空気調和機。
【請求項１４】
前記換気運転において室内へと給気される空気と、前記加湿運転において室内へと給気される空気とは、共通の経路（６）を通って室内へと送られる、
請求項１から１３のいずれかに記載の空気調和機。
【請求項１５】
室内空気の湿度を検知する室内湿度検知手段（１６）と、室内の換気を行う換気部（４３）とを備える空気調和機の制御方法であって、
前記室内湿度検知手段（１６）が室内の湿度を検知する第１ステップ（Ｓ１）と、
前記室内湿度検知手段（１６）が検知した室内の湿度が所定レベルより高い場合に、前記換気部（４３）による換気運転を行う第２ステップ（Ｓ７）と、を備える空気調和機の制御方法。
【発明の詳細な説明】
【０００１】
【発明の属する技術分野】
本発明は、空気調和機および空気調和機の制御方法に関する。
【０００２】
【従来の技術】
空気調和機には、室内の除湿を行う除湿運転機能を有するものがある。この除湿運転は、従来、いわゆる「ドライ運転」によって行われることが多い。この「ドライ運転」は、室内熱交換器を蒸発器として機能させると共に、圧縮機の回転数を通常の冷房運転時よりも増加させ、且つ、室内ファンの風量を少なくすることによって行われる。これにより、温度の低下した室内熱交換器の表面で空気中の水分を結露させる。そして、含有する水分量が減少した空気が室内へと吹出されることにより、室内が除湿される（特許文献１参照）。
【０００３】
なお、このような除湿運転は、夏場だけに限らず冬場にも必要とされることがある。例えば、室内で鍋が行われている場合や、在室人数が多い場合などである。また、特に豪雪地域においては、降り積もる雪によって室内の湿度が高くなることがある。このような場合には、冬場でも室内の湿度が高くなり過ぎることがあり、室内での結露を防止するために除湿運転が必要とされる。
【０００４】
【特許文献１】
特開２００１−２６３７６３号公報（第２頁［０００３］）
【０００５】
【発明が解決しようとする課題】
しかし、上記のようなドライ運転では、圧縮機が使用されるため、圧縮機を駆動するための電力が必要となる。一方、省エネ等の観点からは、空気調和機の消費電力は抑えられることが望ましい。
本発明の課題は、除湿を行うために必要な消費電力を抑えることができる空気調和機および空気調和機の制御方法を提供することにある。
【０００６】
【課題を解決するための手段】
請求項１に記載の空気調和機は、室内湿度検知手段と、換気部と、制御部とを備える。室内湿度検知手段は、室内空気の湿度を検知する。換気部は、室内の換気を行う。制御部は、室内湿度検知手段が検知する室内の湿度が所定レベルより高い場合に、換気部による換気運転を行う。
【０００７】
この空気調和機では、室内の湿度が所定レベルより高い場合に、換気部による換気運転が行われる。従って、室内空気の湿度が外部の湿度よりも高い場合には、換気により室内空気の湿度が低減する。このため、室内が除湿される。また、この除湿は換気運転によって行われるため、ドライ運転による除湿のように圧縮機を駆動する必要がない。このため、この空気調和機では、除湿を行うために必要な消費電力を抑えることができる。
【０００８】
請求項２に記載の空気調和機は、請求項１に記載の空気調和機であって、換気部は、室外空気を室内へと給気することにより室内の換気を行う。
この空気調和機では、換気部は、室外空気を室内へと給気することにより室内の換気を行う。すなわち、室内空気よりも絶対湿度の低い室外空気が室内へと給気されることにより、室内空気の絶対湿度が低減され、室内が除湿される。このため、この空気調和機では、絶対湿度の低い室外空気を取り込んで室内へと給気することにより、室内の除湿を行うことができる。
【０００９】
請求項３に記載の空気調和機は、請求項２に記載の空気調和機であって、室外機と室内機とに分かれる空気調和機である。この空気調和機は、給気口と吹出し口と空気経路とをさらに備える。給気口は、室外機に設けられ、室外機内へと取り込まれる室外空気が通る。吹出し口は、室内機に設けられ、室内機内から室内へと吹き出す室外空気が通る。空気経路は、給気口と吹出し口とを繋ぐ。
【００１０】
この空気調和機では、換気運転時において、室外空気が、室外機の給気口から取り込まれ、空気経路を通り、室内機の吹出し口から室内へと吹き出す。このようにして、この空気調和機では、室外空気を室外機から取り込んで室内へと送ることができる。
請求項４に記載の空気調和機は、請求項１から３のいずれかに記載の空気調和機であって、室内絶対湿度取得部と、室外絶対湿度取得部とをさらに備える。室内絶対湿度取得部は、室内空気の絶対湿度を取得する。室外絶対湿度取得部は、室外空気の絶対湿度を取得する。制御部は、室内絶対湿度取得部が取得した室内空気の絶対湿度と、室外絶対湿度取得部が取得した室外空気の絶対湿度とを比較する。そして、制御部は、室外空気の絶対湿度が、誤差を考慮した所定値と室内空気の絶対湿度との和よりも小さい場合に、換気運転を行う。
【００１１】
この空気調和機では、制御部は、室内空気の絶対湿度と室外空気の絶対湿度とを比較し、室外空気の絶対湿度が、誤差を考慮した所定値と室内空気の絶対湿度との和よりも小さい場合に、換気運転を行う。このように、この空気調和機では、室内空気の絶対湿度と室外空気の絶対湿度とを比較することにより、換気運転による除湿をより確実に行うことができる。
【００１２】
請求項５に記載の空気調和機は、請求項４に記載の空気調和機であって、室外温度検知手段と室外相対湿度検知手段とをさらに備える。室外温度検知手段は、室外温度を検知する。室外相対湿度検知手段は、室外空気の相対湿度を検知する。そして、室外絶対湿度取得部は、室外相対湿度検知手段が検知する室外空気の相対湿度と、室外温度検知手段が検知する室外温度とから室外空気の絶対湿度を算出する。
【００１３】
この空気調和機では、室外相対湿度検知手段が検知する室外空気の相対湿度と、室外温度検知手段が検知する室外温度とから、室外空気の絶対湿度が算出される。このように、この空気調和機では、室外空気の相対湿度と室外温度とから算出することにより室外空気の絶対湿度を取得することができる。
請求項６に記載の空気調和機は、請求項４に記載の空気調和機であって、室内温度検知手段と室外温度検知手段とをさらに備える。室内温度検知手段は、室内温度を検知する。室外温度検知手段は、室外温度を検知する。制御部は、室内湿度検知手段が検知する室内の湿度が所定レベルより高い場合であり、且つ、室外温度が、室内温度と誤差を考慮した所定値との和より低い場合に、換気運転を行う。
【００１４】
室外空気の相対湿度と室内空気の相対湿度とが同程度であっても、温度が低い方が絶対湿度は低くなる。
この空気調和機では、制御部は、室内湿度検知手段が検知する室内の湿度が所定レベルより高い場合であり、且つ、室外温度が、室内温度と誤差を考慮した所定値との和より低い場合に、換気運転を行う。このため、換気運転により、室内空気よりも温度が低く絶対湿度の低い室外空気が室内へと換気され、室内の除湿を行うことができる。
【００１５】
請求項７に記載の空気調和機は、請求項６に記載の空気調和機であって、室外絶対湿度取得部は、室外空気の仮想相対湿度と、室外温度検知手段が検知する室外温度とから室外空気の絶対湿度を算出する。
この空気調和機では、室外空気の仮想相対湿度と、室外温度検知手段が検知する室外温度とから室外空気の絶対湿度が算出されて取得される。このため、この空気調和機では、室外空気の相対湿度を検出する相対湿度センサ等が備えられていなくても、室外空気の絶対湿度を取得することができる。
【００１６】
請求項８に記載の空気調和機は、請求項６または７に記載の空気調和機であって、制御部は、換気運転と暖房運転とを連動して行う。
この空気調和機では、換気運転と暖房運転とが連動して行われる。このため、換気運転によって、室内空気と冷たい室外空気とが換気される場合でも、換気運転と連動して暖房運転が行われることにより、室温が下がることを抑えることができる。
【００１７】
請求項９に記載の空気調和機は、請求項４に記載の空気調和機であって、室内空気との間で熱交換を行う室内熱交換器をさらに備える。そして、空気調和機は、除湿運転指令があった場合において、室外空気の絶対湿度が、誤差を考慮した所定値と室内空気の絶対湿度との和よりも小さい場合には、換気運転による除湿を行い、その他の場合には、室内熱交換器を利用した除湿を行う。
【００１８】
この空気調和機では、室内熱交換器を利用した除湿と、換気運転による除湿とを切り換えることができる。このため、例えば、夏場に冷房運転が行われている場合には室内熱交換器を利用した除湿を行い、冬場に暖房運転が行われている場合には、換気運転による除湿を行うことができる。このように、この空気調和機では、除湿のための運転を状況に応じて切り換えることにより、より効率的に除湿を行うことができる。
【００１９】
請求項１０に記載の空気調和機は、請求項４から９のいずれかに記載の空気調和機であって、制御部は、室外空気の絶対湿度と室内空気の絶対湿度とに応じて換気部によって給気される空気の量を調整する。
この空気調和機では、制御部は、室外空気の絶対湿度と室内空気の絶対湿度とに応じて換気部によって給気される空気の量を調整する。このため、この空気調和機では、例えば、室外絶対湿度と室内絶対湿度とから必要な給気空気量を算出することにより、自動的に換気運転をコントロールすることができる。
【００２０】
請求項１１に記載の空気調和機は、請求項４から１０のいずれかに記載の空気調和機であって、制御部は、換気部の風量を調整することができる。
この空気調和機では、例えば、制御部は、室外空気の絶対湿度と室内空気の絶対湿度とに応じて換気部による風量を調整する。このように、この空気調和機では、温度や湿度の条件によって自動的に換気運転をコントロールすることができる。また、換気運転による除湿量を増減させたい場合において、風量の調整を行うことによって除湿量を調整することができる。さらに、室内の湿度が適切な湿度に速やかになるように、風量の調整を行うこともできる。
【００２１】
請求項１２に記載の空気調和機は、請求項２から１１のいずれかに記載の空気調和機であって、吹出し角度調整手段をさらに備える。吹出し角度調整手段は、換気部によって給気され室内へと吹出す空気の吹出し角度を調整する。制御部は、換気運転時には室内の壁面に沿って空気が吹き出すように吹出し角度調整手段を制御する。
【００２２】
この空気調和機では、制御部は、換気運転時には室内の壁面に沿って空気が吹き出すように吹出し角度調整手段を制御する。従って、換気運転時において、室外の絶対湿度の低い空気を、室内の壁面に沿って吹き出させることができる。このため、室内の壁面の結露を抑えることができる。また、壁面に窓が設けられている場合には、窓の結露を抑えることもできる。
【００２３】
請求項１３に記載の空気調和機は、請求項１から１２のいずれかに記載の空気調和機であって、室内へと送られる空気を加湿する加湿部をさらに備える。制御部は、室内湿度検知手段が検知した室内の湿度が所定レベルより低い場合に、加湿部による加湿運転を行う。
この空気調和機では、室内空気の湿度の高低に応じて、除湿を行う換気運転と、加湿運転とを切り換えて行うことができる。このため、この空気調和機では、室内空気の湿度をより適切に維持することができる。
【００２４】
請求項１４に記載の空気調和機は、請求項１から１３のいずれかに記載の空気調和機であって、換気運転において室内へと給気される空気と、加湿運転において室内へと給気される空気とは、共通の経路を通って室内へと送られる。
この空気調和機では、共通の経路を用いて、換気運転において給気される空気と、加湿運転において給気される空気とを室内へと送ることができる。これにより、複数の経路を設ける必要がなく、部品点数を削減することができる。
【００２５】
請求項１５に記載の空気調和機の制御方法は、室内空気の湿度を検知する室内湿度検知手段と、室内の換気を行う換気部とを備える空気調和機の制御方法であって、第１ステップと第２ステップとを備える。第１ステップでは、室内湿度検知手段が室内の湿度を検知する。第２ステップでは、室内湿度検知手段が検知した室内の湿度が所定レベルより高い場合に、換気部による換気運転を行う。
【００２６】
この空気調和機の制御方法では、室内の湿度が所定レベルより高い場合に、換気部による換気運転が行われる。従って、室内空気の絶対湿度が外部の絶対湿度よりも高い場合には、換気により室内空気の絶対湿度が低減する。このため、室内空気の湿度が低減して、室内が除湿される。また、この除湿は換気運転によって行われるため、ドライ運転による除湿のように圧縮機を駆動する必要がない。
このため、この空気調和機の制御方法では、除湿を行うために必要な消費電力を抑えることができる。
【００２７】
【発明の実施の形態】
〈第１実施形態〉
＜空気調和機の概略構成＞
本発明の第１実施形態に係る空気調和機１の外観を図１に示す。
この空気調和機１は、室内の壁面などに取り付けられる室内機２と、室外に設置される室外機３とに分かれて構成されている。室外機３は、室外熱交換器やプロペラファンなどを収納する室外空調ユニット５と加湿給排気ユニット４とを備えている。室内機２内には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、加湿給排気ユニット４からの室外空気や加湿空気等を室内機２側に供給するときや室内の空気を室外に排出するときに用いられる給排気ホース６が設けられている。
【００２８】
＜冷媒回路の構成＞
図２は、空気調和機１で用いられる冷媒回路の系統図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００２９】
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００３０】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６とともに集合連絡管７を形成する。
【００３１】
また、室外空調ユニット５内には、室外熱交換器２４での熱交換後の空気を外部に排出するためのプロペラファン２９が設けられている。このプロペラファン２９は、室外ファンモータ３０によって回転駆動される。
以下、室外機３、室内機２の構成および空気調和機１の制御を行う制御回路７について詳細に説明する。
【００３２】
＜室外機の構成＞
室外機３は、図１に示すように、下部の室外空調ユニット５および上部の加湿給排気ユニット４が一体となって構成されている。
図３に室外機３の分解斜視図を示す。
〔室外空調ユニットに係る構成〕
室外空調ユニット５は、前面パネル５１、側板５２，５３、保護金網（図示せず）、底板５４等のケーシング部材や内部に収容される冷媒回路構成部品等により構成されている。
【００３３】
前面パネル５１は、室外空調ユニット５の前面を覆う樹脂製の部材であり、室外熱交換器２４に対して室外熱交換器２４を通った空気の下流側に配置されている。前面パネル５１には、複数のスリット状の開口からなる室外空調ユニット吹出口５１ａが設けられており、室外熱交換器２４を通った空気は、室外空調ユニット５の内部からこの室外空調ユニット吹出口５１ａを通って室外機３の外部へと吹き出す。また、前面パネル５１の後方には、ファン吹出口部材５６と仕切板５７とが取り付けられる。
【００３４】
側板５２，５３には右側板５２および左側板５３があり、これらは室外空調ユニット５の側方を覆う金属製の部材である。ここでは、室外機３の正面視において右側に右側板５２、左側に左側板５３が設けられている。
冷媒回路構成部品には、室外熱交換器２４、圧縮機２１、アキュムレータ２３、四路切換弁２２、電動弁２５等（図２参照）がある。
【００３５】
室外熱交換器２４は、平面視において略Ｌ字形状を有し、室外空調ユニット５の背面を覆う保護金網の前方に配置される。
室外熱交換器２４の前方であって、仕切板５７と左側板５３との間の通気スペースには、室外ファンモータ３０とプロペラファン２９とが設けられている。室外ファンモータ３０は、プロペラファン２９を回転させる。プロペラファン２９は、室外空調ユニット５内に取り入れた空気を室外熱交換器２４と接触させ室外空調ユニット吹出口５１ａから前面パネル５１の前方に排気させる。
【００３６】
圧縮機２１、アキュムレータ２３、四路切換弁２２、電動弁２５などの他の冷媒回路構成部品は、仕切板５７と右側板５２との間の機械室に配置されている。
室外空調ユニット５の上部には、電装品ユニット５８が取り付けられる。この電装品ユニット５８は、電装品箱と各部を制御するための回路部品を搭載したプリント基板とにより構成されている。
【００３７】
また、室外空調ユニット５には、各種のサーミスタが備えられている。例えば、室外熱交換器２４の温度を検知する熱交温度サーミスタ（図示せず）、吐出管温度を検知する吐出管温度サーミスタ（図示せず）、室外空気の温度を検知する室外温度サーミスタ３３（図５参照）などである。これらのサーミスタは電装品ユニット５８の回路部品と接続されており、検知した温度情報等を制御回路７（図５参照）へと送る。
【００３８】
なお、電装品ユニット５８の上方には防炎板５９が取り付けられる。
〔加湿給排気ユニットに係る構成〕
加湿給排気ユニット４は、室内から取り込まれた空気を室外へと排出させる排気運転と室外から取り込まれた空気を室内へと供給する給気運転とを行うことができる。給気運転には、室外から取り込まれた空気を加湿して室内へと供給する加湿運転と、加湿を行わずに室外の空気を取り入れて室内へと供給する給気換気運転とがある。以下、加湿給排気ユニット４の構成について、主として図３に基づいて説明する。
【００３９】
（加湿給排気ユニットケーシング）
加湿給排気ユニット４は、加湿給排気ユニットケーシング４０を有している。
加湿給排気ユニットケーシング４０は、加湿給排気ユニット４の前方、後方および両側方を覆っており、室外空調ユニット５の上部に接するように配置される。
加湿給排気ユニットケーシング４０の前面には、複数のスリット状の開口からなる吸着用空気吹出口４０ａが設けられており、空気がこの吸着用空気吹出口４０ａを通って室外機３の外部へと吹き出す。
【００４０】
また、加湿給排気ユニットケーシング４０の背面には、吸着用空気吸込口４０ｂおよび給排気口４０ｃが左右方向に並んで設けられている。吸着用空気吸込口４０ｂは、吸加湿ロータ４１に水分を吸着させるために室外から取り込まれる空気が通る開口である。給排気口４０ｃは、室内機２へと送られるために取り込まれる空気が通る、または、室内機２から取り込まれて室外へと排気される空気が通る開口である。
【００４１】
なお、加湿給排気ユニットケーシング４０の上部は、天板６６により覆われている。
加湿給排気ユニットケーシング４０内は、右側が吸加湿ロータ４１等を収容する空間、左側が吸着用ファン４６等を収容する吸着用ファン収納空間ＳＰ１となっている。この加湿給排気ユニットケーシング４０内には、吸加湿ロータ４１、ヒータ組立体４２、ラジアルファン組立体４３、切換ダンパ４４、吸着側ダクト４５、吸着用ファン４６などが配置されている。
【００４２】
（吸加湿ロータ）
吸加湿ロータ４１は、概ね円板形状を有するハニカム構造のセラミックロータであり、空気が容易に通過できる構造となっている。吸加湿ロータ４１は、水平面で切った断面において細かいハニカム（蜂の巣）状になっている。そして、これらの断面が多角形である吸加湿ロータ４１の多数の筒部分を、空気が通過する。
【００４３】
吸加湿ロータ４１の主たる部分は、ゼオライト、シリカゲル、あるいはアルミナといった吸着剤から焼成されている。このゼオライト等の吸着剤は、接触する空気中の水分を吸着し、加熱されることによって吸着して含有する水分を離脱する性質を有している。
この吸加湿ロータ４１は、加湿給排気ユニットケーシング４０側に設けられた支持軸４０ｄに、図示しないロータガイドを介して回動可能に支持される。吸加湿ロータ４１の周面には、ギヤが形成されており、ロータ駆動モータ４７の駆動軸に取り付けられるロータ駆動ギヤ４８と歯合している。
【００４４】
（ヒータ組立体）
ヒータ組立体４２は、加湿運転時に、室外から取り込まれて吸加湿ロータ４１へ送られる空気を加熱する。このヒータ組立体４２は、ヒータ支持板４９を介して吸加湿ロータ４１の上方に取り付けられる。
（ラジアルファン組立体）
ラジアルファン組立体４３は、吸加湿ロータ４１の側方に配置されており、給排気口４０ｃから吸加湿ロータ４１および切換ダンパ４４を経て室内へと到る空気の流れを生成して、室外から取り入れた空気を室内機２へと送る。また、ラジアルファン組立体４３は、室内機２から取り入れた空気を室外へと排出することもできる。ラジアルファン組立体４３は、切換ダンパ４４が切り換わることにより、これらの動作を切り換える。
【００４５】
ラジアルファン組立体４３は、室外から取り入れた空気を室内機２へと送る場合には、吸加湿ロータ４１を通過して吸加湿ロータ４１の右側の略半分の部分のうち手前側の部分から降りてきた空気を、切換ダンパ４４を経て給排気ダクト６１へと送り出す。給排気ダクト６１は、給排気ホース６（図１参照）に接続されており、ラジアルファン組立体４３は、給排気ダクト６１と給排気ホース６とを介して空気を室内機２へと供給する。
【００４６】
ラジアルファン組立体４３は、室内機２から取り入れた室内の空気を室外へと排出する場合には、給排気ダクト６１から送られてきた空気を加湿給排気ユニットケーシング４０の背面に設けられた給排気口４０ｃから室外へと排出する。
（切換ダンパ）
切換ダンパ４４は、ラジアルファン組立体４３の下方に配置される回転式の空気流路切換手段であり、第１状態、第２状態及び第３状態に切り替わる。
【００４７】
第１状態においては、ラジアルファン組立体４３から吹き出された空気は、給排気ダクト６１を経て給排気ホース６を通って室内機２へと供給されるようになる。これにより、第１状態では、図２の実線矢印Ａ１で示す矢印の向きに空気が流れ、加湿空気あるいは室外空気が給排気ホース６を通って室内機２へと供給されるようになる。
【００４８】
第２状態では、図２の破線矢印Ａ２で示す矢印の向きに空気が流れ、室内機２から給排気ホース６及び給排気ダクト６１を通ってきた空気が、ラジアルファン組立体４３から給排気口４０ｃを経て室外へと排気される。
第３状態では、切換ダンパ４４と給排気ダクト６１とを繋ぐ経路が閉じられ、室外機３と室内機２との間の空気の流れが遮断される。
【００４９】
（吸着側ダクトおよび吸着用ファン）
吸着側ダクト４５は、吸加湿ロータ４１の上面のうちヒータ組立体４２が位置しない部分（左側の略半分の部分）を覆っている。この吸着側ダクト４５は、後述する吸着側ベルマウス６３とともに、吸加湿ロータ４１の左半分の部分の上面から以下に説明する吸着用ファン収納空間ＳＰ１の上部へと通じる空気流路を形成する。
【００５０】
吸着用ファン収納空間ＳＰ１に収容される吸着用ファン４６は、吸着用ファンモータ６５によって回転する遠心ファンであり、上部に配置される吸着側ベルマウス６３の開口部６３ａから空気を吸込むことで、吸着用空気吸込口４０ｂから吸加湿ロータ４１を介して、開口部６３ａへ流れる気流を生成する。そして、吸着用ファン４６は、吸加湿ロータ４１を通る際に水分を吸着された乾燥空気を吸着用空気吹出口４０ａから加湿給排気ユニットケーシング４０の前方へ向けて排気する。吸着側ベルマウス６３は、吸着用ファン収納空間ＳＰ１の上部に設けられており、吸着側ダクト４５によって形成される空気流路を通ってくる空気を吸着用ファン４６へと導く役割を果たす。
【００５１】
＜室内機の構成＞
次に室内機の構成について、図４に示す室内機２の側面断面図に基づいて説明する。
室内機２は、正面視に置いて横方向に長い室内機ケーシング１４を備えており、前述した室内熱交換器１１やクロスフローファン１２は、室内機２の室内機ケーシング１４内に収容されている。
【００５２】
室内機ケーシング１４は、前面パネル１４ａと底フレーム１４ｂとにより構成されている。
前面パネル１４ａは、室内機２の上面、下面、前面及び側面を覆っている。前面パネル１４ａの上面は、室内熱交換器１１の上方を覆っており、複数のスリット状の開口からなる吸込み口１４０が設けられている。前面パネル１４ａの下面には、室内機２の長手方向に沿う開口からなる吹出し口１４１が設けられている。また、吹出し口１４１には、室内へと吹出す空気の吹き出し角度を調整する水平フラップ１４２が設けられている。この水平フラップ１４２は、室内機２の長手方向に平行な軸を中心に回動自在に設けられている。水平フラップ１４２は、図示しないフラップモータによって回動されることにより、吹出し口１４１の開閉を行うことができる。
【００５３】
底フレーム１４ｂは、室内機２の背面を構成しており、室内熱交換器１１の後方を覆っている。
また、室内熱交換器１１の下方には、熱交換時に室内熱交換器１１の表面に発生する水滴を受け取るためのドレンパン１４３が設けられている。このドレンパン１４３には、受け取った水滴を外部に排出するためのドレンホース（図示せず）が取り付けられている。冷房運転時やドライ運転時には、室内熱交換器１１は蒸発側熱交換器として作用するため、室内熱交換器１１と接触する空気中に含まれる水分が凝縮して水滴となって滴下する。ドレンパン１４３は、このような水滴を受け取ってドレンホースによって排水するように構成されている。
【００５４】
クロスフローファン１２は、側面視において室内機２の略中央に配置されている。クロスフローファン１２は、室内ファンモータ１３（図５参照）によって回転駆動されることにより、吸込み口１４０から吸い込まれ室内熱交換器１１を通り吹出し口１４１から室内へと吹出す空気の流れを生成する。
室内熱交換器１１は、クロスフローファン１２の前方、上方および後部上方を取り囲むように取り付けられている。室内熱交換器１１は、クロスフローファン１２の駆動により吸込み口１４０から吸い込まれた空気や、ラジアルファン組立体４３によって室外機３から送られてきた空気をクロスフローファン１２側に通過させ、伝熱管の内部を通過する冷媒との間で熱交換を行わせる。
【００５５】
また、室内機２は、図５に示すように、室内温度サーミスタ１５と室内相対湿度センサ１６とを備えている。室内温度サーミスタ１５は、室内空気の温度を検知する。室内相対温度センサは、室内空気の相対湿度を検知する。
なお、ここでいう相対湿度とは、単位体積の空気中にふくまれる水蒸気量の、同じ温度での単位体積の空気中に含みうる最大の水蒸気量（飽和水蒸気量）に対する割合をいう。また、後述する絶対湿度とは、単位体積の空気中にふくまれる水蒸気の質量を表したものをいう。
【００５６】
＜制御回路＞
次に、制御回路７について図５に基づいて説明する。
制御回路７は、室内機２および室外機３に配置される電装品箱などに分かれて存在している。この制御回路７は、室内機２や室外機３の各機器と接続されている。制御回路７は、制御部７１と室内絶対湿度算出部７２と室外絶対湿度算出部７３とを有している。
【００５７】
室内絶対湿度算出部７２は、室内相対湿度センサ１６が検知した室内空気の相対湿度（室内相対湿度）と、室内温度サーミスタ１５が検知した室内温度とに基づいて、室内空気の絶対湿度（室内絶対湿度）を算出する。室内絶対湿度算出部７２が算出した室内絶対湿度は制御部７１へと送られる。
室外絶対湿度算出部７３は、室外空気の仮想相対湿度と、室外温度サーミスタ３３が検知した室外温度とに基づいて、室外空気の絶対湿度（室外絶対湿度）を算出する。なお、室外空気の仮想相対湿度は１００％に設定されている。室外絶対湿度算出部７３が算出した室外絶対湿度は制御部７１へと送られる。
【００５８】
制御部７１は、リモコン８等からの運転指令に基づいて暖房運転、冷房運転、ドライ運転、加湿運転、給気換気運転、排気運転などの各運転モードに応じて各機器の運転制御を行う。また、制御部７１は、室内相対湿度センサ１６が検知する室内相対湿度が所定レベルより高い場合には、給気換気運転によって室内の除湿を行う。この制御については、後に詳述する。
【００５９】
＜動作＞
次に、本実施形態にかかる空気調和機１における加湿運転時、給気換気運転時および排気運転時の動作を説明する。
〔加湿運転時の動作〕
本実施形態にかかる空気調和機１において加湿運転が行われるときには、上記の切換ダンパ４４は第１状態に切り換えられる。
【００６０】
以下、加湿運転が行われる際の加湿給排気ユニット４の動作について図２及び図３に基づいて説明する。
加湿給排気ユニット４は、吸着用ファン４６を回転駆動することによって、室外からの空気を吸着用空気吸込口４０ｂから加湿給排気ユニットケーシング４０内に取り入れる。加湿給排気ユニットケーシング４０内に入ってきた空気は、吸加湿ロータ４１の左側の略半分の部分を通過して、吸着側ダクト４５および吸着側ベルマウス６３により形成される空気流路および吸着用ファン４６を介して、吸着ファン収納空間ＳＰ１から吸着用空気吹出口４０ａを通って室外機３の前方へと排出される（図２の矢印Ａ３及び図３参照）。加湿給排気ユニットケーシング４０内に室外から取り入れられた空気が吸加湿ロータ４１の左側の略半分の部分を通過する際に、吸加湿ロータ４１は、空気中に含まれている水分を吸着する。
【００６１】
この吸着工程で水分を吸着した吸加湿ロータ４１の左側の略半分の部分は、吸加湿ロータ４１が回転することによって、吸加湿ロータ４１の右側の略半分の部分となる。すなわち、吸着された水分は、吸加湿ロータ４１の回転に伴い、ヒータ組立体４２の下方に位置する吸加湿ロータ４１の部分に移動してくる。そして、ここに移動してきた水分は、ヒータ組立体４２からの熱により、ラジアルファン組立体４３によって生成される空気流中に離脱していく。
【００６２】
ラジアルファン組立体４３が駆動されると、給排気口４０ｃから加湿給排気ユニットケーシング４０内に室外の空気が取り込まれ、その空気が吸加湿ロータ４１の右側の略半分の部分のうち奥の部分の下方から上方に向けて通過し、ヒータ組立体４２内に導入される。そして、ヒータ組立体４２内に入った空気は、ヒータ組立体４２から排出され、吸加湿ロータ４１の右側の略半分の部分のうち手前の部分を上方から下方に通過し、切換ダンパ４４の内部を通ってラジアルファン組立体４３へと至る。このような空気流は、ラジアルファン組立体４３が生成するものである。ラジアルファン組立体４３は、上記のように吸加湿ロータ４１および切換ダンパ４４を通り抜けてきた空気を、切換ダンパ４４、給排気ダクト６１及び給排気ホース６を介して室内機２へと送る。この室内機２へと送られる空気は、吸加湿ロータ４１に吸着されていた水分を含むようになっている。そして、加湿給排気ユニット４から室内機２に供給された空気は、室内熱交換器１１を経て、吹出し口１４１から室内へと吹き出される。
【００６３】
〔給気換気運転時の動作〕
給気換気運転の場合には、吸着用ファンモータ６５やヒータ組立体４２が作動されずに、上記の加湿運転時と同様の動作が行われる。これにより、室外から取り入れられた空気が、加湿されずに上記と同様の経路を通って室内機２へと送られる。
【００６４】
〔排気運転時の動作〕
排気運転を行うときには、上記の切換ダンパ４４は第２状態に切り換えられる。
ラジアルファン組立体４３が駆動されると、室内機２から取り込まれた室内の空気が、給排気ホース６を経て、給排気ダクト６１から切換ダンパ４４の内部を通ってラジアルファン組立体４３へと到る。
【００６５】
ラジアルファン組立体４３へと到った空気は、再び切換ダンパ４４の内部を通って、切換ダンパ４４の外部へ吹き出し、吸加湿ロータ４１の右側の略半分の部分のうち手前の部分を下方から上方に通過し、ヒータ組立体４２内に導入される。そして、ヒータ組立体４２内に入った空気は、ヒータ組立体４２から排出され、吸加湿ロータ４１の右側の略半分の部分のうち奥の部分の上方から下方に向けて通過し、給排気口４０ｃから室外へと排出される。
【００６６】
このようにして室内機２から取り込まれた室内の空気は、加湿給排気ユニット４から室外へと排出される。
＜制御部による除湿制御および加湿制御＞
次に、制御部７１による空気調和機１の制御内容のうち、特に、除湿制御と加湿制御について図６に基づいて説明する。
【００６７】
制御部７１は、暖房運転時において、室内相対湿度が所定レベルより高い場合には、絶対湿度の低い室外空気を室内へと給気して室内相対湿度を低減させる。
すなわち、制御部７１は、暖房運転時に湿度が高くなりすぎた場合には給気換気運転を行って室内の除湿を行う。
まず、ステップＳ０において、室内温度と室内湿度との設定がユーザーによって行われる。そして、ステップＳ１へと進む。
【００６８】
ステップＳ１では、室内相対湿度センサ１６が室内相対湿度を検知する。
そして、ステップＳ２において、室内相対湿度センサ１６が検知した現在の室内相対湿度とユーザーが設定した設定湿度とが比較される。現在の室内相対湿度が設定湿度よりも高い場合には、ステップＳ３へと進み、換気除湿モードへと移行する。現在の室内相対湿度が設定湿度よりも高くない場合は、ステップＳ９へと進み、加湿モードへと移行する。
【００６９】
換気除湿モードへと移行すると、ステップＳ４において、室外絶対湿度が算出される。ここでは、室外絶対湿度算出部７３が、室外空気の仮想相対湿度を１００％として、この仮想相対湿度と、室外温度サーミスタ３３が検知した室外温度とから、室外絶対湿度を算出する。
次に、ステップＳ５において、室内絶対湿度が算出される。ここでは、室内絶対湿度算出部７２が、室内相対湿度センサ１６が検知した室内相対湿度と、室内温度サーミスタ１５が検知した室内温度とから、室内絶対湿度を算出する。
【００７０】
そして、ステップＳ６において、室内絶対湿度と室外絶対湿度とが比較される。ここでは、制御部７１は、室外絶対湿度算出部７３が算出した室外絶対湿度と室内絶対湿度算出部７２が算出した室内絶対湿度とを比較する。室外絶対湿度が室内絶対湿度よりも小さい場合には、ステップＳ７へと進み給気換気運転が行われる。室外絶対湿度が室内絶対湿度よりも小さくない場合には、ステップＳ１へと戻る。
【００７１】
ステップＳ７では、上述したように給気換気運転が行われる。給気換気運転では、制御部７１は、加湿給排気ユニット４に室外空気を取り込ませ、その室外空気を給排気ホース６から室内機２へと供給させる。給気換気運転時には、切換ダンパ４４が第１状態とされ、ラジアルファン組立体４３が駆動される。これにより、図２の矢印Ａ１に示すように、室外空気が給排気ホース６を通って室内機２へと給気される。このように絶対湿度の低い室外空気が室内へと給気されるため、室内相対湿度が低減される。また、この給気換気運転は、暖房運転と連動して行われる。すなわち、室外の冷たい空気が室内へと給気されるため、室外空気の給気にともなって室内温度が急激に低下しないように暖房運転の強弱が調整される。また、換気除湿モードにおいては、空気の吹き出し角度を調整する水平フラップが通常の暖房運転時よりも下向きにされる。つまり、換気除湿モードにおいては、給気換気運転時には室内の壁面に沿って空気が吹き出すように，水平フラップの角度が調整される。
【００７２】
そして、ステップＳ８において、一定時間が経過した後、ステップＳ１へと戻る。
ステップＳ２において、現在の室内相対湿度が設定湿度よりも高くない場合は、ステップＳ９の加湿モードへと移行する。そして、ステップＳ１０において、上述した加湿運転が行われる。加湿運転においては、加湿給排気ユニット４内のロータ駆動モータ４７、ヒータ組立体４２、ラジアルファン組立体４３、および吸着用ファンモータ６５が駆動される。この加湿運転では、上述したように、吸着用ファン４６の回転によって外部から加湿給排気ユニット４内に導入した空気中に含まれる水分を吸加湿ロータ４１に吸着させるとともに、ヒータ組立体４２により加熱された空気をラジアルファン組立体４３の回転によって吸加湿ロータ４１に通し、吸加湿ロータ４１から離脱した水分を含む空気を給排気ホース６を介して室内機２へと供給させる。
【００７３】
そして、ステップＳ１１において、一定時間が経過した後に、ステップＳ１へと戻る。
上記の制御中に、ユーザーがリモコン８を操作するなどして、運転の停止が入力された場合には、ステップＳ１２において制御部７１から運転停止指令が出され、ステップＳ１３において、加湿給排気ユニット４の動作が停止する。
【００７４】
なお、暖房運転時に限らず、室外温度が室内温度よりも低い場合や、室内空気が設定温度より低い場合に上記の制御が行われてもよい。
＜特徴＞
（１）
一般に、空気の乾燥し易い暖房シーズンにおいては、室内空気の加湿が必要とされることが多く、空気調和機は、ユーザーが設定した設定湿度に基づいて加湿運転を行う。しかし、室内で料理や鍋が行われている場合、ファンヒータが使用されている場合、在室人数が多い場合などのように室内に水分発生源ある場合には、冬場でも室内空気の湿度が高くなり過ぎることがある。この場合、室内で結露が生じ易くなるという問題がある。従って、このような場合には、加湿が必要とされないばかりか、除湿が必要とされる場合さえもある。
【００７５】
この空気調和機１では、暖房運転時において室内相対湿度が設定湿度より高い場合には、換気除湿モードへと移行して給気換気運転による除湿が行われる。従って、乾燥した室外空気が室外機３から直接に取り込まれ、室内機２へと送られ、室内へと給気される。これにより、室内相対湿度を低減することができる。
給気換気運転による除湿効果の一例を図７に基づいて説明する。
【００７６】
ある時点での室内温度が２３℃、室内相対湿度が７０％であるとすると、室内相対湿度は０．０１２３ｋｇ／ｋｇである。また、室外温度が７℃、室外相対湿度が９０％であるとすると、室外絶対湿度は０．００５５ｋｇ／ｋｇである。この場合、室外相対湿度（９０％）は、室内相対湿度（７０％）よりも高いが、室外絶対湿度（０．００５５ｋｇ／ｋｇ）が室内絶対湿度（０．０１２３ｋｇ／ｋｇ）よりも低いため、室外空気が室内へと送られることにより、室内絶対湿度は低減する。このため、約１時間後には、室内絶対湿度が０．００８９ｋｇ／ｋｇへと低減している。また、この給気換気運転に連動して暖房運転が行われるため、室内温度は２３℃に維持されている。このため、室内相対湿度は５０％に低減している。
【００７７】
このように、この空気調和機１では、暖房運転時において室内相対湿度が高くなり過ぎることを防止することができる。また、これにより、室内の結露を防止することができる。
さらに、このような室内の除湿は給気換気運転によって行われるため、除湿のために圧縮機２１を駆動する必要がない。このため、この空気調和機１では、ドライ運転と比べて、除湿を行うために必要な消費電力を抑えることができる。
【００７８】
（２）
給気換気運転によって室内相対湿度を下げるためには、上記の（１）のように室外絶対湿度が室内絶対湿度より低いことが必要である。
この空気調和機１では、制御部７１が、室内絶対湿度と室外絶対湿度とを比較し、室外絶対湿度が室内絶対湿度よりも小さい場合に、給気換気運転を行う。このため、給気換気を行うべきかどうかを判断することができ、換気給気換気運転による除湿をより確実に行うことができる。
【００７９】
（３）
この空気調和機１では、室外絶対湿度算出部７３は、室外相対湿度を１００％と仮定して、この仮想相対湿度と、室外温度サーミスタ３３が検知する室外温度とから室外絶対湿度を算出する。このため、この空気調和機１では、室外機３に室外相対湿度を検出する相対湿度センサ等が備えられていなくても、室外絶対湿度を取得することができる。
【００８０】
また、室外機３に相対湿度センサ等が備えられていなくても室外絶対湿度を取得することができるため、室外温度サーミスタ３３を備える従来の室外機３を利用して本実施形態にかかる空気調和機１を製造することができる。
さらに、この空気調和機１では、仮想相対湿度から算出される室外絶対湿度と実際の室外絶対湿度との誤差は小さくなっている。すなわち、室外温度が低い暖房シーズンにおいては、室外温度は室内温度よりも低いため、室外絶対湿度は十分に小さい。このため、上記のように室外相対湿度を１００％と仮定しても、仮想相対湿度から算出される室外絶対湿度と実際の室外絶対湿度との誤差は小さくなっている。また、暖房時において、除湿運転が必要とされるような状況においては、室内温度と室内相対湿度が高くなっている。従って、室内絶対湿度は室外絶対湿度よりも十分に大きい。このため、室外相対湿度を１００％と仮定しても、除湿制御の精度への影響は小さくなっている。
【００８１】
（４）
この空気調和機１では、換気除湿モードにおいて、給気換気運転と暖房運転とが連動して行われる。このため、給気換気運転によって冷たい室外空気が室内へと給気される場合でも、連動して暖房運転が行われることにより、室温の低下を防止することができる。
【００８２】
（５）
この空気調和機１では、制御部７１は、給気換気運転時には室内の壁面に沿って空気が吹き出すように水平フラップ１４２を通常運転より下向きに変える。従って、給気換気運転時において、室外の絶対湿度の低い空気を、室内の壁面に沿って吹き出させることができる。このため、室内の壁面の結露を抑えることができる。
【００８３】
（６）
この空気調和機１では、室内の除湿を行う給気換気運転と、室内の加湿を行う加湿運転とを切り換えて行うことができる。このため、室内相対湿度が、ユーザーが設定した設定湿度よりも高い場合には給気換気運転を行い、室内相対湿度が設定湿度よりも低い場合には加湿運転を行うことができる。このように、この空気調和機１では、室内相対湿度が設定湿度になるように運転制御が行われ、室内相対湿度をより適切に維持することができる。
【００８４】
〈第２実施形態〉
本発明の第２実施形態にかかる空気調和機の制御ブロック図を図８に示す。この空気調和機は、室外機３内に室外相対湿度を検知する室外相対湿度センサ３４を備えている。そして、室外絶対湿度算出部７３は、室外相対湿度センサ３４が検知した室外相対湿度と、室外温度サーミスタ３３が検知した室外温度とから室外絶対湿度を算出する。
【００８５】
他の構成および制御方法については、第１実施形態にかかる空気調和機１と同様である。
この空気調和機では、室外相対湿度センサ３４が検知した室外相対湿度と、室外温度サーミスタ３３が検知した室外温度とから室外絶対湿度が算出される。これにより、この空気調和機では、室外絶対湿度をより精度よく取得することができる。
【００８６】
〈第３実施形態〉
本発明の第３実施形態にかかる空気調和機では、制御部７１は、除湿を行う場合において、室外空気の絶対湿度が、誤差を考慮した所定値と室内空気の絶対湿度との和よりも小さい場合には、給気換気運転を行い、その他の場合には、ドライ運転を行う。このドライ運転では、圧縮機２１の回転数を増加させることによって室内熱交換器１１の温度を低下させ、空気中の水分を結露させる。そして、含有する水分量が減少した空気を室内へと吹き出すことにより、室内の除湿が行われる
他の構成および制御方法については、第１実施形態にかかる空気調和機１と同様である。
【００８７】
この空気調和機では、給気換気運転による除湿とドライ運転による除湿とを切り換えることができる。このため、例えば、夏場に冷房運転が行われている場合にはドライ運転により除湿を行い、冬場に暖房運転が行われている場合には、給気換気運転により除湿を行うことができる。このように、この空気調和機では、除湿のための運転を室内温度に応じて切り換えることにより、より効率的に除湿を行うことができる。
【００８８】
〈第４実施形態〉
本発明の第４実施形態にかかる空気調和機では、制御部７１は、室外絶対湿度と室内絶対湿度とに応じて給気換気運転に給気される空気の量を調整する。例えば、室外絶対湿度と室内絶対湿度との差が小さい場合には、給気空気の量を増大させることにより速やかに室内相対湿度を低下させる。
【００８９】
他の構成および制御方法については、第１実施形態にかかる空気調和機１と同様である。
この空気調和機では、室外絶対湿度と室内絶対湿度と大小を判断することにより、自動的に給気換気運転をコントロールすることができる。また、給気空気の量を調整することにより、除湿量を調整することもできる。
【００９０】
〈他の実施形態〉
（１）
上記の実施形態では、換気除湿モードにおいて、給気換気運転が行われることによって室内空気の除湿が行われているが、排気運転によって室内の除湿が行われてもよい。排気運転によっても、高湿度の室内空気が室内から排出されることにより、室内相対湿度を低減させることができる。
【００９１】
（２）
上記の実施形態では、室外空気の仮想相対湿度を１００％としているが、他の値が仮想相対湿度として用いられてもよい。なお、室外温度が低い冬場には室外相対湿度が比較的高いことが多いため、このような場合の仮想相対湿度としては９０〜１００％の値が用いられることが望ましい。
【００９２】
（３）
上記の実施形態においては、暖房運転時に給気換気運転による除湿が行われているが、暖房運転時に限らず冷房運転時に給気換気運転による除湿が行われてもよい。また、給気換気運転による除湿のみが行われてもよい。室外温度と室内温度との高低に関わらず、室外絶対湿度が室内絶対湿度よりも低ければ、上記と同様の給気換気運転による除湿の効果が得られる。
【００９３】
（４）
上記の実施形態では、室外絶対湿度算出部７３が、室外温度と室外相対湿度とから室外絶対湿度を算出しているが、直接に室外絶対湿度を検知するセンサが室外絶対湿度取得部として設けられてもよい。
同様に、直接に室内絶対湿度を検知するセンサが室内絶対湿度取得部として設けられてもよい。
【００９４】
（５）
上記の実施形態では、給気換気運転時の空気流は、室外機３に備えられるラジアルファン組立体４３によって生成されているが、室内機２に備えられる送風装置によって生成されてもよい。
（６）
上記の実施形態では、室外機３と室内機２とが別体となっているセパレート型の空気調和機１が示されているが、室外機と室内機とが一体となった空気調和機に本発明が採用されてもよい。
【００９５】
（７）
上記の実施形態では、室内相対湿度がユーザーが設定した設定湿度よりも大きい場合に給気換気運転が行われるが、室内相対湿度と比較される基準は、設定湿度に限られるものではなく、制御部７１により自動的に設定された設定湿度であってもよい。例えば、室内の相対湿度が、制御部が自動設定した約４０％から６０％の値となるように、給気換気運転が行われてもよい。
【００９６】
また、室内の相対湿度と設定湿度との比較ではなく、室内の絶対湿度と設定湿度とが比較されてもよい。
（８）
上記の実施形態では、ステップＳ６において、室外絶対湿度が室内絶対湿度よりも小さい場合には、給気換気運転が行われる。
【００９７】
しかし、室外空気の絶対湿度が、室内空気の絶対湿度と誤差を考慮した所定値との和よりも小さい場合に、給気換気運転が行われてもよい。これにより、各種湿度センサによる検知の誤差や、室外絶対湿度算出部７３による算出の誤差などが生じた場合でも、所定値を含めて比較を行うことにより、運転内容の判断の際の誤差を緩和することができる。なお、この所定値は、正の数、負の数、零を含む。例えば、所定値が零の場合は、室外絶対湿度が室内絶対湿度よりも小さい場合と同じである。また、より大きな誤差を考慮する場合は、所定値の絶対値を大きくすればよい。
【００９８】
室外温度と室内温度とが比較される場合も同様である。
【００９９】
【発明の効果】
請求項１に記載の空気調和機では、室内の湿度が所定レベルより高い場合に、換気部による換気運転が行われる。従って、室内空気の湿度が外部の湿度よりも高い場合には、換気により室内空気の湿度が低減する。このため、室内が除湿される。また、この除湿は換気運転によって行われるため、ドライ運転による除湿のように圧縮機を駆動する必要がない。このため、この空気調和機では、除湿を行うために必要な消費電力を抑えることができる。
【０１００】
請求項２に記載の空気調和機では、換気部は、室外空気を室内へと給気することにより室内の換気を行う。すなわち、室内空気よりも絶対湿度の低い室外空気が室内へと給気されることにより、室内空気の絶対湿度が低減され、室内が除湿される。このため、この空気調和機では、絶対湿度の低い室外空気を取り込んで室内へと給気することにより、室内の除湿を行うことができる。
【０１０１】
請求項３に記載の空気調和機では、換気運転時において、室外空気が、室外機の給気口から取り込まれ、空気経路を通り、室内機の吹出し口から室内へと吹き出す。このようにして、この空気調和機では、室外空気を室外機から取り込んで室内へと送ることができる。
請求項４に記載の空気調和機では、制御部は、室内空気の絶対湿度と室外空気の絶対湿度とを比較し、室外空気の絶対湿度が、誤差を考慮した所定値と室内空気の絶対湿度との和よりも小さい場合に、換気運転を行う。このように、この空気調和機では、室内空気の絶対湿度と室外空気の絶対湿度とを比較することにより、換気運転による除湿をより確実に行うことができる。
【０１０２】
請求項５に記載の空気調和機では、室外相対湿度検知手段が検知する室外空気の相対湿度と、室外温度検知手段が検知する室外温度とから、室外空気の絶対湿度が算出される。このように、この空気調和機では、室外空気の相対湿度と室外温度とから算出することにより室外空気の絶対湿度を取得することができる。
請求項６に記載の空気調和機では、制御部は、室内湿度検知手段が検知する室内の湿度が所定レベルより高い場合であり、且つ、室外温度が、誤差を考慮した所定値と室内温度との和より低い場合に、換気運転を行う。このため、換気運転により、室内空気よりも温度が低く絶対湿度の低い室外空気が室内へと換気され、室内の除湿を行うことができる。
【０１０３】
請求項７に記載の空気調和機では、室外空気の仮想相対湿度と、室外温度検知手段が検知する室外温度とから室外空気の絶対湿度が算出されて取得される。このため、この空気調和機では、室外空気の相対湿度を検出する相対湿度センサ等が備えられていなくても、室外空気の絶対湿度を取得することができる。
請求項８に記載の空気調和機では、換気運転と暖房運転とが連動して行われる。このため、換気運転によって、室内空気と冷たい室外空気とが換気される場合でも、換気運転と連動して暖房運転が行われることにより、室温が下がることを抑えることができる。
【０１０４】
請求項９に記載の空気調和機では、室内熱交換器を利用した除湿と、換気運転による除湿とを切り換えることができる。このため、例えば、夏場に冷房運転が行われている場合には室内熱交換器を利用した除湿を行い、冬場に暖房運転が行われている場合には、換気運転による除湿を行うことができる。このように、この空気調和機では、除湿のための運転を状況に応じて切り換えることにより、より効率的に除湿を行うことができる。
【０１０５】
請求項１０に記載の空気調和機では、制御部は、室外空気の絶対湿度と室内空気の絶対湿度とに応じて換気部によって給気される空気の量を調整する。このため、この空気調和機では、例えば、室外絶対湿度と室内絶対湿度とから必要な給気空気量を算出することにより、自動的に換気運転をコントロールすることができる。
【０１０６】
請求項１１に記載の空気調和機では、例えば、制御部は、室外空気の絶対湿度と室内空気の絶対湿度とに応じて換気部による風量を調整する。このように、この空気調和機では、温度や湿度の条件によって自動的に換気運転をコントロールすることができる。また、換気運転による除湿量を増減させたい場合において、風量の調整を行うことによって除湿量を調整することができる。さらに、室内の湿度が適切な湿度に速やかになるように、風量の調整を行うこともできる。
【０１０７】
請求項１２に記載の空気調和機では、制御部は、換気運転時には室内の壁面に沿って空気が吹き出すように吹出し角度調整手段を制御する。従って、換気運転時において、室外の絶対湿度の低い空気を、室内の壁面に沿って吹き出させることができる。このため、室内の壁面の結露を抑えることができる。また、壁面に窓が設けられている場合には、窓の結露を抑えることもできる。
【０１０８】
請求項１３に記載の空気調和機では、室内空気の湿度の高低に応じて、除湿を行う換気運転と、加湿運転とを切り換えて行うことができる。このため、この空気調和機では、室内空気の湿度をより適切に維持することができる。
請求項１４に記載の空気調和機では、共通の経路を用いて、換気運転において給気される空気と、加湿運転において給気される空気とを室内へと送ることができる。これにより、複数の経路を設ける必要がなく、部品点数を削減することができる。
【０１０９】
請求項１５に記載の空気調和機の制御方法では、室内の湿度が所定レベルより高い場合に、換気部による換気運転が行われる。従って、室内空気の絶対湿度が外部の絶対湿度よりも高い場合には、換気により室内空気の絶対湿度が低減する。このため、室内空気の湿度が低減して、室内が除湿される。また、この除湿は換気運転によって行われるため、ドライ運転による除湿のように圧縮機を駆動する必要がない。このため、この空気調和機の制御方法では、除湿を行うために必要な消費電力を抑えることができる。
【図面の簡単な説明】
【図１】空気調和機の全体外観図。
【図２】冷媒回路の構成および空気流れを示す図。
【図３】室外機の分解斜視図。
【図４】室内機の側面断面図。
【図５】第１実施形態にかかる空気調和機の制御ブロック図。
【図６】制御フローチャート。
【図７】給気換気運転による除湿効果の一例を示す図。
【図８】第２実施形態にかかる空気調和機の制御ブロック図。
【符号の説明】
１        空気調和機
２        室内機
３        室外機
６        給排気ホース（空気経路、共通の経路）
１５      室内温度サーミスタ（室内温度検知手段）
１６      室内相対湿度センサ（室内湿度検知手段）
３３      室外温度サーミスタ（室外温度検知手段）
３４      室外相対湿度センサ（室外相対湿度検知手段）
４０ｃ    給排気口（給気口）
４１      吸加湿ロータ（加湿部）
４３      ラジアルファン組立体（換気部）
７１      制御部
７２      室内絶対湿度算出部（室内絶対湿度取得部）
７３      室外絶対湿度算出部（室外絶対湿度取得部）
１４１    吹出し口
１４２    水平フラップ（吹出し角度調整手段）
Ｓ１      第１ステップ
Ｓ７      第２ステップ
【図１】
2004225945.tif 000003
【図２】
2004225945.tif 000004
【図３】
2004225945.tif 000005
【図４】
2004225945.tif 000006
【図５】
2004225945.tif 000007
【図６】
2004225945.tif 000008
【図７】
2004225945.tif 000009
【図８】
2004225945.tif 000010